(57)【要約】【課題】小型化が図れ、且つ安価な防爆仕様の電磁流量計の変換器を提供する。【解決手段】前面表示、前面から外部配線可能な電磁流量計の変換器において、配線貫通孔に対向して端子室の底面に一方端が接続された隔壁と、この隔壁の他方端側と前記端子室の側壁とに設けられた段部と、この段部に一方の面が接して配置されたベース板と、このベース板の周縁と前記隔壁と前記端子室の側壁と前記段部とにより構成される所定幅所定深さを有する溝と、この溝に充填される第１の樹脂充填体と、前記ベース板に取り付けられた端子台と、前記ベース板に設けられこの端子台の導電板が貫通する端子貫通孔と、この端子貫通孔に充填される第２の樹脂充填体とを具備し、前記隔壁，前記第１の樹脂充填体，前記ベース板，前記端子台の端子と第２の樹脂充填体とにより前記配線貫通孔に対する耐圧防爆隔壁が構成されたことを特徴とする電磁流量計の変換器である。【選択図】        図１
2004251758.tif 000002
【特許請求の範囲】
【請求項１】
前面表示型のアンプ室と前記前面に平行に端子台が配置され前面から外部配線可能な端子室とが前記アンプ室への前記端子台の配線の為の配線貫通孔により連通された一体型のケース
を具備する電磁流量計の変換器において、
前記配線貫通孔に対向して前記端子室の底面に一方端が接続された隔壁と、
この隔壁の他方端側と前記端子室の側壁とに設けられた段部と、
この段部に一方の面が接して配置されたベース板と、
このベース板の周縁と前記隔壁と前記端子室の側壁と前記段部とにより構成される所定幅所定深さを有する溝と、
この溝に充填される第１の樹脂充填体と、
前記ベース板に取り付けられた端子台と、
前記ベース板に設けられこの端子台の端子が貫通する端子貫通孔と、
この端子貫通孔に充填される第２の樹脂充填体と
を具備し、
前記隔壁，前記第１の樹脂充填体，前記ベース板，前記端子台の導電板と第２の樹脂充填体とにより前記配線貫通孔に対する耐圧防爆隔壁が構成されたことを特徴とする電磁流量計の変換器。
【請求項２】
前面表示型のアンプ室と前記前面に平行に端子台が配置され前面から外部配線可能な端子室とが前記アンプ室への前記端子台の配線の為の配線貫通孔により連通された一体型のケース
を具備する電磁流量計の変換器において、
前記配線貫通孔に対向して前記端子室の底面に一方端が接続された隔壁と、
この隔壁の他方端側と前記端子室の側壁とに設けられた段部と、
この段部に一方の面が接して配置されたベース板と、
このベース板の周縁と前記隔壁と前記端子室の側壁と前記段部とにより構成される所定幅所定深さを有する溝と、
この溝に充填される第１の樹脂充填体と、
前記ベース板に取り付けられ安全増防爆規格を充足する安全増防爆端子台と、
前記ベース板に設けられこの安全増防爆端子台の端子が貫通する端子貫通孔と、
この端子貫通孔に充填される第２の樹脂充填体と
を具備し、
前記隔壁，前記第１の樹脂充填体，前記ベース板，前記安全増防爆端子台の導電板と第２の樹脂充填体とにより前記配線貫通孔に対する耐圧防爆隔壁が構成されたことを特徴とする電磁流量計の変換器。
【発明の詳細な説明】
【０００１】
【発明の属する技術分野】
本発明は、小型化が図れ、且つ安価な防爆仕様の電磁流量計の変換器に関するものである。
【０００２】
【従来の技術】
図１１は、従来より一般に使用されている従来例の構成説明図、例えば、製品紹介“スマート電磁流量計  ＭａｇｎｅＷ３０００  ＦＬＥＸ”に示されている（例えば、特許文献１参照。）。
図１２は図１１の側面図、図１３は図１１の端子室の蓋を外した図、図１４は図１３のＡ−Ａ断面図である。
【０００３】
図において、ケース１は、表示型のアンプ室２と、前面に平行に端子台３が配置され、前面から外部配線可能な端子室４とが、アンプ室２への端子台３の配線の為の配線貫通孔５により連通された一体型のケースである。
【０００４】
【非特許文献１】
製品紹介“スマート電磁流量計  ＭａｇｎｅＷ３０００  ＦＬＥＸ”、［ｏｎｌｉｎｅ］、［平成１４年１０月２１日検索］、インターネット、＜山武ホームページ／インダストリアル・オートメーション／スマート電磁流量計  ＭａｇｎｅＷ３０００ＦＬＥＸ、
ＵＲＬ：  ｈｔｔｐ：／／ｗｗｗ．ｙａｍａｔａｋｅ．ｃｏ．ｊｐ／ｊａｐａｎ／０３ｐｒｏｄｕｃ／ｉａ／ｆｉｃ／ｆｉｃ＿０３．ｈｔｍ＞
【０００５】
【発明が解決しようとする課題】
前面表示型のアンプ室と前面から外部配線可能な端子室とを有する電磁流量計の変換器は、前面にパネルと端子台を持っているので、前面から設定したり、ケーブル接続作業を行う事ができ、使用に便利である。
【０００６】
しかしながら、このような装置において、耐圧構造にすると、次の問題が生じる。
（１）アンプ室２は、性質上、耐圧防爆構造が必要だが、四角のケースでは接合面を確保する必要上、ケース全体が大きくなる。
例えば、前面から見た面積が約１．３倍くらいになる。
【０００７】
アンプ室２のケースと蓋の接合面を、図１１の紙面と平行方向に平面で確保しなければならないからである。
そこで、断面丸型のアンプ室にして、ねじはめ合い部を採用することにより、ケースの大型化を防ぐことが出来る。
【０００８】
一方、端子室４も、耐圧防爆構造とした場合、上述と同様に大きくなる。
断面丸型の端子室４を採用しても、端子台３が四角形であるので、かえって、大型化してしまう。
【０００９】
また、．  端子室４が耐圧防爆構造の場合、耐圧防爆用の専用のケーブル配線金具が必要になり、そのコストがかかる。
【００１０】
本発明の目的は、上記の課題を解決するもので、小型化が図れ、且つ、安価な防爆仕様の電磁流量計の変換器を提供することにある。
即ち、アンプ室と端子室を分離する耐圧壁を設け、且つ端子室を安全増防爆構造にすることにより、小型化を図り、且つ、安価な防爆仕様の電磁流量計の変換器を提供する。
【００１１】
【課題を解決するための手段】
このような目的を達成するために、本発明では、請求項１記載の電磁流量計の変換器においては、
前面表示型のアンプ室と前記前面に平行に端子台が配置され前面から外部配線可能な端子室とが前記アンプ室への前記端子台の配線の為の配線貫通孔により連通された一体型のケースを具備する電磁流量計の変換器において、
前記配線貫通孔に対向して前記端子室の底面に一方端が接続された隔壁と、この隔壁の他方端側と前記端子室の側壁とに設けられた段部と、この段部に一方の面が接して配置されたベース板と、このベース板の周縁と前記隔壁と前記端子室の側壁と前記段部とにより構成される所定幅所定深さを有する溝と、この溝に充填される第１の樹脂充填体と、前記ベース板に取り付けられた端子台と、前記ベース板に設けられこの端子台の導電板が貫通する端子貫通孔と、この端子貫通孔に充填される第２の樹脂充填体とを具備し、
前記隔壁，前記第１の樹脂充填体，前記ベース板，前記端子台の導電板と第２の樹脂充填体とにより前記配線貫通孔に対する耐圧防爆隔壁が構成されたことを特徴とする。
【００１２】
本発明の請求項２においては、請求項１記載の電磁流量計の変換器において、
前面表示型のアンプ室と前記前面に平行に端子台が配置され前面から外部配線可能な端子室とが前記アンプ室への前記端子台の配線の為の配線貫通孔により連通された一体型のケースを具備する電磁流量計の変換器において、
前記配線貫通孔に対向して前記端子室の底面に一方端が接続された隔壁と、この隔壁の他方端側と前記端子室の側壁とに設けられた段部と、この段部に一方の面が接して配置されたベース板と、このベース板の周縁と前記隔壁と前記端子室の側壁と前記段部とにより構成される所定幅所定深さを有する溝と、この溝に充填される第１の樹脂充填体と、前記ベース板に取り付けられ安全増防爆規格を充足する安全増防爆端子台と、前記ベース板に設けられこの安全増防爆端子台の端子が貫通する端子貫通孔と、この端子貫通孔に充填される第２の樹脂充填体とを具備し、
前記隔壁，前記第１の樹脂充填体，前記ベース板，前記安全増防爆端子台の端子と第２の樹脂充填体とにより前記配線貫通孔に対する耐圧防爆隔壁が構成されたことを特徴とする。
【００１３】
【発明の実施の形態】
以下図面を用いて本発明を詳しく説明する。
図１は本発明の一実施例の要部構成説明図、図２は図１の側面図、図３は図１の端子室の蓋を外した図、図４は図３のＢ−Ｂ断面図、図５は図３のＣ−Ｃ断面図、図６は図３の要部拡大図である。
【００１４】
図において、１１は、配線貫通孔５に対向して、端子室２２の底面に一方端が接続された隔壁である。
１２は、隔壁１１の他方端側と端子室２２の側壁とに設けられた段部である。
【００１５】
１３は、この段部１２に一方の面が接して配置されたベース板である。
１４は、ベース板１３の周縁と隔壁１１と端子室２２の側壁と段部１２とにより構成される所定幅所定深さを有する溝である。
１５は、溝１４に充填される第１の樹脂充填体である。
【００１６】
１６は、ベース板１３に取り付けられた端子台である。
１７は、ベース板１３に設けられ、端子台１６の導電板が貫通する端子貫通孔である。
１８は、端子貫通孔１７に充填される第２の樹脂充填体である。
【００１７】
以上の構成において、
ベース板１３に端子台１６を取り付ける。
端子貫通孔１７に、端子台１６の導電板を通す。
端子貫通孔１７に、第２の樹脂充填体１８を充填する。
段部１２にベース板１３を配置する。
溝１４に第１の樹脂充填体１５を充填する。
端子貫通孔１７に、第２の樹脂充填体１８を充填する。
【００１８】
そして、隔壁１１，第１の樹脂充填体１５，ベース板１３，端子台１６の導電板と第２の樹脂充填体１８とにより、配線貫通孔５に対する耐圧防爆隔壁を構成する。
【００１９】
これにより、防爆上の２室に分離することができるため、アンプ室２１と端子室２２との２室が各々独立の耐圧防爆構造に出来る。
この時アンプ室２１は断面丸形とし、カバーをまわしてねじ込む、ねじはめ合い部を有する耐圧防爆を採用する。
【００２０】
この結果、
（１）アンプ室２１と端子室２２との２室が各々独立の防爆構造に出来るので、アンプ室２１と端子室２２とが分離でき、端子室２２を耐圧防爆構造にした場合、耐圧防爆金具、または、直接引き込みを採用できる。
また、安全増し防爆構造にした場合、耐圧防爆金具ではなく、防水規格ＩＰ５４を実現した金具を使用することが出来る。
【００２１】
（２）アンプ室２１と端子室２２との２室が各々独立の防爆構造に出来るので、気密水密上の２室構造も実現可能となる。
この場合、配管作業時にアンプを傷つけたり，アンプ室２１内部に浸水することを防止できる。
【００２２】
一般的に配線時は、端子室２２を長時間開放にしたい場合も生ずるが、このような状態も容易に可能となる電磁流量計の変換器が得られる。
【００２３】
図７は、本発明の他の実施例の要部構成説明、図８は図７のＤ−Ｄ断面図、図９は図７のＥ−Ｅ断面図、図１０は図７の要部拡大図である。
図において、３１は、ベース板１３に取り付けられ、安全増防爆規格を充足する安全増防爆の端子台である。
【００２４】
３２は、ベース板１３に設けられ、安全増防爆の端子台３１の端子が貫通する端子貫通孔である。
３３は、端子貫通孔３２に充填される第２の樹脂充填体である。
【００２５】
以上の構成において、隔壁１１，第１の樹脂充填体１５，ベース板１３，端子台３１の導電板と第２の樹脂充填体３３とにより、配線貫通孔５に対する耐圧防爆隔壁を構成する。
【００２６】
これにより、防爆上の２室に分離することができるため、アンプ室４１は耐圧防爆構造となり、端子室４２は安全増防爆構造に出来る。
この時アンプ室４１は断面丸形とし、カバーをまわしてねじ込む、ねじはめ合い部接合面を採用する。
【００２７】
この結果、
（１）端子室２２を安全増防爆構造にできるため、小さなケースにでき、全体として、小型化が図れる電磁流量計の変換器が得られる。
【００２８】
（２）端子室２２は安全増防爆構造にできるため、耐圧防爆構造の専用ケーブル配線口金具が不要になるので、コスト、配線工事を簡略化でき、端子室２２も通常の普通に用いられるケースが利用でき、安価な防爆仕様の電磁流量計の変換器が得られる。
【００２９】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３０】
【発明の効果】
以上説明したように、本発明の請求項１によれば、次のような効果がある。
【００３１】
この結果、
（１）アンプ室と端子室との２室が各々独立の防爆構造に出来るので、アンプ室と端子室とが分離でき、端子室を耐圧防爆構造にした場合、耐圧防爆金具、または、直接引き込みを採用できる。
また、安全増し防爆構造にした場合、耐圧防爆金具ではなく、防水規格ＩＰ５４を実現した金具を使用することが出来る。
【００３２】
（２）アンプ室と端子室との２室が各々独立の防爆構造に出来るので、気密水密上の２室構造も実現可能となる。
この場合、配管作業時にアンプを傷つけたり，アンプ室内部に浸水することを防止できる。
【００３３】
一般的に配線時は、端子室を長時間開放にしたい場合も生ずるが、このような状態も容易に可能となる電磁流量計の変換器が得られる。
【００３４】
本発明の請求項２によれば、次のような効果がある。
（１）端子室を安全増防爆構造にできるため、小さなケースにでき、全体として、小型化が図れる電磁流量計の変換器が得られる。
【００３５】
（２）端子室は安全増防爆構造にできるため、耐圧防爆構造の専用ケーブル配線口金具が不要になるので、コスト、配線工事を簡略化でき、端子室も通常の普通に用いられるケースが利用でき、安価な防爆仕様の電磁流量計の変換器が得られる。
【００３６】
従って、本発明によれば、小型化が図れ、且つ安価な防爆仕様の電磁流量計の変換器を実現することが出来る。
【図面の簡単な説明】
【図１】本発明の一実施例の要部構成説明図である。
【図２】図１の側面図である。
【図３】図１の端子室の蓋を外した図である。
【図４】図３のＢ−Ｂ断面図である。
【図５】図３のＣ−Ｃ断面図である。
【図６】図３の要部拡大図である。
【図７】本発明の他の実施例の要部構成説明である。
【図８】図７のＤ−Ｄ断面図である。
【図９】図７のＥ−Ｅ断面図である。
【図１０】図７の要部拡大図である。
【図１１】従来より一般に使用されている従来例の要部構成説明図である。
【図１２】図１０の側面図である。
【図１３】図１０の端子室の蓋を外した図である。
【図１４】図１３のＡ−Ａ断面図である。
【符号の説明】
１      ケース
２      アンプ室
３      端子台
４      端子室
５      配線貫通孔
１１    隔壁
１２    段部
１３    ベース板
１４    溝
１５    第１の樹脂充填体
１６    端子台
１６１  導電板
１７    端子貫通孔
１８    第２の樹脂充填体
２１    アンプ室
２２    端子室
３１    安全増防爆の端子台
３２    端子貫通孔
３３    第２の樹脂充填体
４１    アンプ室
４２    端子室
【図１】
2004251758.tif 000003
【図２】
2004251758.tif 000004
【図３】
2004251758.tif 000005
【図４】
2004251758.tif 000006
【図５】
2004251758.tif 000007
【図６】
2004251758.tif 000008
【図７】
2004251758.tif 000009
【図８】
2004251758.tif 000010
【図９】
2004251758.tif 000011
【図１０】
2004251758.tif 000012
【図１１】
2004251758.tif 000013
【図１２】
2004251758.tif 000014
【図１３】
2004251758.tif 000015
【図１４】
2004251758.tif 000016